(57)【特許請求の範囲】
【請求項１】
計算機と、モニタと、補助記憶装置と、補助記憶装置に保存した地図とを備えた地図表示装置において、
前記地図上の座標情報を有する地物を表示する地物アイコンと、
前記地物アイコンに関連付けられた座標情報を有しない関連情報とを、
前記モニタに表示可能であり、
複数の前記地物アイコンが、同一の前記関連情報と関連付けられており、
前記地物アイコンと同一の前記関連情報に関連付けられた他の前記地物アイコンを前記モニタに表示するよう要求する関連地物表示要求機能を備えた地図表示装置。
【請求項２】
前記地図上に表示する前記関連情報は、条件設定によりカスタマイズ可能である請求項１に記載の地図表示装置。
【請求項３】
前記条件設定は、複数設定可能である請求項２に記載の地図表示装置。
【請求項４】
前記関連情報は、前記地物に関連する関連設備を表示する関連設備アイコンとそれぞれの前記関連設備アイコンに対応する前記関連設備の数量である請求項１乃至請求項３のいずれか１項に記載の地図表示装置。
【請求項５】
前記関連設備アイコンは、階層化されている請求項４に記載の地図表示装置。
【発明の詳細な説明】
【技術分野】
【０００１】
この発明は、設備情報の効率的な視覚化方式を有する地図表示装置に関するものである。
【背景技術】
【０００２】
地図に設備情報を付加して利用する従来の装置として、例えば特許文献１のような地図表示装置が提供されている。
この地図表示装置では、拡大した地図上に、電柱、低圧引き込み線のルート、長さ等をレイヤ表示している。
【先行技術文献】
【特許文献】
【０００３】
【特許文献１】特開２０１０−２５０５５９号公報（段落００１０、図６）
【発明の概要】
【発明が解決しようとする課題】
【０００４】
特許文献１のような、従来技術においては、住所等で現場の位置を特定し、地図を最大限拡大しなければ、設備等を表示できず、一覧性に欠けて全体の概要が把握し難いという課題があった。
また、正確な場所の特定が困難な設備については、探し当てるのに時間がかかるという課題があった。
【０００５】
この発明は、このような課題を解決するためになされたものであり、地物に付随する情報を地図の縮尺を変更することなくサマライズして表示することで、必要の無い情報を与えることなく短時間に目的の地物とその関連設備にアクセスできる地図表示装置の提供を目的とする。
【課題を解決するための手段】
【０００６】
この発明に係る、地図表示装置は、
計算機と、モニタと、補助記憶装置と、補助記憶装置に保存した地図とを備えた地図表示装置において、
前記地図上の座標情報を有する地物を表示する地物アイコンと、
前記地物アイコンに関連付けられた座標情報を有しない関連情報とを、
前記モニタに表示可能であり、
複数の前記地物アイコンが、同一の前記関連情報と関連付けられており、
前記地物アイコンと同一の前記関連情報に関連付けられた他の前記地物アイコンを前記モニタに表示するよう要求する関連地物表示要求機能を備えたものである。
【発明の効果】
【０００７】
この発明に係る、地図表示装置は、
計算機と、モニタと、補助記憶装置と、補助記憶装置に保存した地図とを備えた地図表示装置において、
前記地図上の座標情報を有する地物を表示する地物アイコンと、
前記地物アイコンに関連付けられた座標情報を有しない関連情報とを、
前記モニタに表示可能であり、
複数の前記地物アイコンが、同一の前記関連情報と関連付けられており、
前記地物アイコンと同一の前記関連情報に関連付けられた他の前記地物アイコンを前記モニタに表示するよう要求する関連地物表示要求機能を備えたものなので、
地物に関連する関連情報を必要に応じて簡単に画面表示できる。
【図面の簡単な説明】
【０００８】
【図１】本発明の実施の形態１に係る地図表示装置の機能構成図である。
【図２】本発明の実施の形態１に係る地図表示装置が使用する各テーブル構成を示す図である。
【図３】本発明の実施の形態１に係る地図表示装置による、地物とその関連設備情報の表示の流れを示す図である。
【図４】本発明の実施の形態２に係る地図表示装置で使用するテーブルの構成を示す図である。
【図５】本発明の実施の形態２に係る地図表示装置による、地物とその関連設備情報の表示の流れを示す図である。
【図６】本発明の実施の形態３に係る地図表示装置の機能構成図である。
【図７】本発明の実施の形態３に係る地図表示装置で使用する設備情報テーブルの構成を示す図である。
【図８】本発明の実施の形態３に係る地図表示装置による、地物とその関連設備情報と、更にその関連設備に関連する地物の表示の流れを示す図である。
【発明を実施するための形態】
【０００９】
実施の形態１．
以下、この発明の実施の形態１を図１〜図３を用いて説明する。
図１は、地図表示装置１００の機能構成図である。
図２は、地図表示装置１００が、地物や設備の管理のために使用する各テーブルの構成を示す図である。
図３は、地図表示装置１００による地物の表示と、関連設備情報の表示の流れを示す図である。
【００１０】
地図表示装置１００は、図示しない計算機と、モニタと補助記憶装置と補助記憶装置に保存した図１に示すファイル、テーブル、各種の機能によって構成される。
地図情報ファイル１には、ベクトルやビットマップなどの地図を表示するための情報が格納されている。
図２（ａ）は、地物情報テーブル２の構成を示す図である。
建物や電柱など地物と呼ばれる地図空間に存在するモノを管理するテーブルである。
地物は、地図上に擬似的なアイコンとして表示される。
地物情報テーブル２の項目としては、少なくとも、地物を一意に特定する「地物ＩＤ」、地図上の位置を表す「座標」、地物のカテゴリを表す「種別」、地物の製造元が割り当てた「型番」、地物の呼称を表す「名称」の項目を有する。
【００１１】
図２（ｂ）は、種別情報テーブル３のテーブル構成を示す図である。
地物情報テーブル２の「種別」に紐付く情報を管理するテーブルである。
種別情報テーブル３の項目としては少なくとも、「種別」、種別の「名称」、種別を描画する際のアイコンを判別するための「アイコンＩＤ」の項目を有する。
【００１２】
図２（ｃ）は、設備情報テーブル４のテーブル構成を示す図である。
設備情報テーブル４は、組織、或いは、構造物に付随する設備を管理するテーブルである。
少なくとも、設備を一意に決定する「設備ＩＤ」、設備が属する地物、或いは、設備を表す「親ＩＤ」、設備のカテゴリを表す「種別」、設備の製造元が割り当てた「型番」、設備の呼称を表す「名称」の項目を有する。
【００１３】
図２（ｄ）は、抽出条件テーブル５のテーブル構成を示す図である。
抽出条件テーブル５は、地物の種別ごとに付随する関連情報を検索し、或いは抽出するための情報を管理するテーブルである。
少なくとも、地物の「種別」、検索抽出条件の優先順位を表す「ＯＲＤＥＲ」、検索抽出条件を表す「ＳＱＬ」、地図上に表示する名称と格納場所を表す「名称」の項目を有する。
【００１４】
地図情報検索抽出機能１１は、画面表示領域の地図情報を地図情報ファイル１から検索し、抽出する機能である。
地図描画機能１２は、地図情報検索抽出機能１１によって抽出した地図情報から地図を描画する機能である。
【００１５】
地物情報検索抽出機能２１は、画面表示領域の地物情報を地物情報テーブル２から検索し抽出する機能である。
地物描画機能２２は、地物情報検索抽出機能２１で抽出した地物情報に基づいて、種別情報テーブル３を利用して表示すべき地物のアイコンＩＤを検索抽出し、これらのアイコンＩＤからアイコン情報７に記録されたアイコンを取得して地図上に地物アイコンを描画する機能である。
【００１６】
関連情報検索抽出機能４１は、ユーザ操作が選択した地物の地物ＩＤと同じ情報を、設備情報テーブル４の親ＩＤ項目に有する設備情報を検索抽出する機能である。
選択した地物の「種別」をキーに、抽出条件テーブル５から検索抽出に利用するＳＱＬ文を取得し、当該地物に関連する設備の種別を抽出し、更に、抽出した種別ごとの設備件数と、種別の名称、アイコンＩＤを抽出する機能である。
関連情報描画機能４２は、関連情報検索抽出機能４１で抽出した結果情報をもとに、ＧＵＩ操作により選択した地物の周囲に関連情報を描画する機能である。
【００１７】
地図表示機能１３は、地図描画機能１２、地物描画機能２２、関連情報描画機能４２で描画したイメージを順番に重ね合わせて表示する機能である。
【００１８】
地物／設備選択検知機能６は、ユーザによるＧＵＩ操作により選択した地物アイコン、或いは設備アイコンが選択されたことを検知し、当該地物或いは設備のＩＤを取得する機能である。
アイコン情報７には、各アイコンＩＤに対応するアイコンを保存している。
【００１９】
次に、地図表示装置１００の動作について説明する。
まず、地図表示装置１００の動作の概略を説明する。
（１）  初期表示により地図と地物を表示後、
（２）  ＧＵＩ操作で地物を選択し、
（３）  関連する設備情報（名称、件数、アイコン）を選択した地物の周囲に表示する。
【００２０】
次に、それぞれの具体的動作について例をあげて詳述する。
（１）  先ず、初期画面表示では、地図情報検索抽出機能１１により地図情報ファイル１から画面表示領域に表示すべき地図情報を取得する。
取得した地図情報を使用して、地図描画機能１２により地図を描画する。
地物情報検索抽出機能２１により地物情報テーブル２から地図表示領域の地物データを取得する。
取得した地物データを使用して、地物描画機能２２により地物を地図上に描画する。
地物の描画は、種別情報テーブル３から地物の種別ごとにアイコンＩＤを取得し、アイコン情報７からアイコンデータを取得して画面表示する。
地図表示機能１３により、地図描画機能１２で描画した地図上に、地物描画機能２２により描画した地物を重ね合わせて表示する。
【００２１】
（２）ＧＵＩ操作に対応する地物／設備選択検知機能６によって、地図上の特定の地物が選択されたことを検知する。
【００２２】
（３）次に、関連情報検索抽出機能４１が、設備情報テーブル４から、当該地物の地物ＩＤと同じＩＤを「親ＩＤ」項目に持つ設備情報を、抽出条件に従って抽出する。
例えば、選択した地物の地物ＩＤがＴ００００１である場合、地物ＩＤ  Ｔ００００１の「種別」はＰＯＬＥなので、抽出条件の「種別」項目がＰＯＬＥのＳＱＬを１つ実行する。
【００２３】
その結果、設備情報テーブル４の「親ＩＤ」項目がＴ００００１である設備の種別であるＴＲＡＮＳとＭＯＤＵＬとＷＩＲＥが重複を排除して抽出される。
次に、関連情報描画機能４２によって、種別情報テーブル３からそれぞれの「種別」のアイコンＩＤを取得し、アイコン情報７からアイコンデータを取得し、地図上の選択された地物の周囲に、関連設備の種別を、それぞれのアイコンと件数を示して描画する。
なお、ＳＱＬ条件の与え方によって種別項目だけでなく、例えば型番別に集計するようなカスタマイズも可能である。
図３に示すように、地図表示機能１３によって、地図描画機能１２で描画した地図と、地物描画機能２２により描画した地物と、関連情報描画機能４２で描いた設備の種別の一覧を重ね合わせて地図を表示する。
【００２４】
本発明の実施の形態１に係る地図表示装置１００によれば、画面に表示中の地図のスケールに関係なく、地図上の位置情報を有する地物に関連する関連情報を必要に応じて簡単に画面表示できる。
【００２５】
実施の形態２．
以下、この発明の実施の形態２を図４、図５を用いて実施の形態１と異なる部分を中心に説明する。
図４（ａ）は、地図表示装置で使用する設備情報テーブル２０４の構成を示す図である。
図４（ｂ）は、地図表示装置で使用する抽出条件テーブル２０５の構成を示す図である。
図５は、地図表示装置による、地物とその関連設備情報の表示の流れを示す図である。
【００２６】
実施の形態１では、地図上の地物に関連付けられた情報を地図スケールに関係なく簡略化して表示することで、当該地図に含まれる地物とその関連情報の全容を把握可能とした。
本実施の形態では、関連付けられた情報の中から利用者にとって重要な情報を抽出して表示する構成を説明する。
【００２７】
設備情報テーブル２０４の項目構成には、実施の形態１で示した、設備を一意に決定する「設備ＩＤ」、設備が属する地物或いは設備を表す「親ＩＤ」、設備のカテゴリを表す「種別」、設備の製造元が割り当てた「型番」、設備の呼称を表す「名称」の各項目に加えて、例えば、「次回メンテナンス日」などの保守日時に関わる項目を新たに付加している。
抽出条件テーブル２０５の項目構成については実施の形態１で示した項目と変わりないが、検索抽出条件を表す「ＳＱＬ」の内容として、例えば、種別ＰＯＬＥ（電柱を表す地物）に対して、メンテナンス日を超過したものを抽出する条件と、メンテナンス日まで１週間以内となったものを抽出する条件を設定する。
【００２８】
次に、本実施の形態に係る地図表示装置の動作について説明する。
まず、動作の概略を説明する。
実施の形態１の場合と同様に、
（１）  初期表示により地図と地物を表示後、
（２）  ＧＵＩ操作で地物を選択し、
（３）  関連する設備情報（名称、件数、アイコン）を選択した地物の周囲に、付帯情報付きで表示する。
（１）と（２）については実施の形態１と同じなので説明を省略し、（３）についてのみ説明する。
【００２９】
関連情報検索抽出機能４１が、設備情報テーブル２０４から、当該地物の地物ＩＤと同じＩＤを「親ＩＤ」項目に持つ設備情報を、抽出条件に従って抽出する。
例えば、選択した地物の地物ＩＤがＴ００００１である場合、地物ＩＤ＝Ｔ００００１の「種別」はＰＯＬＥなので、抽出条件の「種別」項目がＰＯＬＥのＳＱＬを２つ実行する。
【００３０】
その結果、設備情報テーブル２０４の「親ＩＤ」項目がＴ００００１である設備の種別であるＴＲＡＮＳとＷＩＲＥの内、「次回メンテナンス日」が既に超過又は接近している設備情報が抽出される。
次に、関連情報描画機能４２によって、種別情報テーブル３からそれぞれの「種別」のアイコンＩＤを取得し、アイコン情報７からアイコンデータを取得し、地図上の選択された地物（ＰＯＬＥ＝電柱）の周囲に、抽出された関連設備の種別（変圧器と電線）のアイコンを件数を示して一覧表示する。
【００３１】
本発明の実施の形態２に係る地図表示装置によれば、実施の形態１で述べた効果に加えて、関連設備毎に発生する個別事項についてユーザに注意喚起できる。
【００３２】
実施の形態３．
以下、この発明の実施の形態３を、図６〜図８を用いて実施の形態１、２と異なる部分を中心に説明する。
図６は、地図表示装置３００の機能構成図である。
図７は、地図表示装置３００で使用する設備情報テーブル３０４の構成を示す図である。
図８は、地図表示装置３００による、地物とその関連設備情報と、更にその関連設備に関連する地物の表示の流れを示す図である。
【００３３】
本実施形態では、実施の形態１において地図上の特定の地物に関連付けて表示した関連設備を階層化する方法、及び、同一の関連設備を関連付けている他の地物を検索、抽出して地図上に表示する方法を説明する。
図６に示すように、地図表示装置３００の構成は、ほぼ実施の形態１における構成と同様である。
実施の形態１と異なる部分は、下層表示要求機能８と、関連地物表示要求機能９を設けた２点である。
【００３４】
下層表示要求機能８は、関連情報検索抽出機能３４１を起動して、抽出した関連設備に関する詳細な構成を地図上の地物の近隣に表示する。
また、関連地物表示要求機能９は、特定の地物の関連設備が、同時に他の地物の関連設備でもある場合に、当該他の地物を地図上に表示することを要求する機能である。
【００３５】
図７において、上述のように設備情報３０４自体の項目には変更は無いが、例えば電線などは、始点と終点で接続する電柱（地物）が２つあるため、親ＩＤが２つ存在する場合がある。
本、実施の形態では、このような場合に、他の親ＩＤを有する地物を表示しようとするものである。
【００３６】
次に、地図表示装置３００の動作について説明する。
まず、地図表示装置３００の動作の概略を説明する。
実施の形態１の場合と同様に、
（１）  初期表示により地図と地物を表示後、
（２）  ＧＵＩ操作で地物を選択し、
（３）  関連する設備情報（名称、件数、アイコン）を選択した地物の周囲に表示する。
本実施の形態では、更に、
（４）  特定の関連設備アイコンを選択し、
（５）  当該関連設備に関する下層の設備のアイコン群を表示し、
（６）  それらのアイコン群から１つのアイコンを選択し、
（７）  そのアイコンに対応する、関連設備の親ＩＤとして登録されている他の地物を検索して地図上に表示する。
【００３７】
次に、具体的動作について例をあげて説明する。
（１）〜（３）については、実施の形態１と同じなので省略する。
（４）〜（７）までの動作を説明する。
（４）  ＧＵＩ操作に対応する下層表示要求機能８が選択されたことを検知すると、
（５）  関連情報検索抽出機能３４１は、（３）で得ていた関連設備情報の中から、その種別に属する全ての関連設備を地図画面上に表示する。
例えば、図８（３）の状態で、電線アイコンがクリックされると、「親ＩＤ」がＴ００００１であって、「種別」がＷＩＲＥである、Ｓ００００６、Ｓ００００７、Ｓ００００８という下層の設備ＩＤ名が電線アイコンと共に地図上に表示される。
（６）  ここで、Ｓ００００６の電線アイコンがクリックされると、
（７）  関連地物表示要求機能９が起動し、設備ＩＤがＳ００００６であって、親ＩＤが異なる他の地物ＩＤ、Ｔ０００１０を設備情報テーブル３０４から抽出する。
当該地物ＩＤを元に、地物情報検索抽出機能２１と地物描画機能２２によって、地物情報テーブル２から、電線Ｓ００００６の他端が接続されている地物（電柱）が特定され、地図画面上に表示される。
【００３８】
本発明の実施の形態３に係る地図表示装置３００によれば、実施の形態１及び２で述べた効果に加えて、複数の地物に関連する関連設備が存在する場合も、当該関連設備に紐付いた全ての地物を容易に地図上に表示できる。
【００３９】
なお、本発明は、その発明の範囲内において、各実施の形態を自由に組み合わせたり、各実施の形態を適宜、変形、省略することが可能である。
【符号の説明】
【００４０】
１００，３００  地図表示装置、１  地図情報ファイル、
１１  地図情報検索抽出機能、１２  地図描画機能、１３  地図表示機能、
２  地物情報テーブル、２１  地物情報検索抽出機能、２２  地物描画機能、
３  種別情報テーブル、４，２０４，３０４  設備情報テーブル、
４１，３４１  関連情報検索抽出機能、４２  関連情報描画機能、
５，２０５  抽出条件テーブル、６  地物／設備選択検知機能、７  アイコン情報、
８  下層表示要求機能、９  関連地物表示要求機能。
【図１】
0005804914.tif 000002
【図２】
0005804914.tif 000003
【図３】
0005804914.tif 000004
【図４】
0005804914.tif 000005
【図５】
0005804914.tif 000006
【図６】
0005804914.tif 000007
【図７】
0005804914.tif 000008
【図８】
0005804914.tif 000009